(57)【要約】【課題】通信情報を容易に確認することができる情報通信端末を提供する。【解決手段】携帯端末１００は、ＣＰＵ１１０、モニタ１１２、メモリ１１６およびアンテナ１２２を含む。ＣＰＵ１１０は、アンテナ１２２を介して他の情報通信装置と通信する通信制御部と、通信に関する情報を集約して一括情報を生成するメール処理部と、一括情報の内容をモニタ１１２に表示する制御部とを含む。【選択図】        図１
2004178459.tif 000002
【特許請求の範囲】
【請求項１】
通信回線に接続され、他の情報通信装置と情報を通信するための通信手段と、
前記通信手段に接続され、前記情報を記憶するための記憶手段と、
前記記憶手段に接続され、前記記憶された情報から通信に関する情報を集約して一括情報を生成するための生成手段と、
前記記憶手段に接続され、前記記憶された情報を出力するための出力手段とを含む、情報通信端末。
【請求項２】
前記情報通信端末は、
利用者が検索情報を入力するための入力手段と、
前記入力手段および前記記憶手段に接続され、前記検索情報が前記記憶された情報に含まれるか否かを判断するための判断手段とをさらに含み、
前記生成手段は、前記検索情報が前記記憶された情報に含まれると判断されると、前記検索情報を含む情報を集約して前記一括情報を生成するための手段を含む、請求項１に記載の情報通信端末。
【請求項３】
前記通信に関する情報は、前記他の情報通信装置からの受信メールである、請求項１または２に記載の情報通信端末。
【請求項４】
前記通信に関する情報は、前記他の情報通信装置への送信メールである、請求項１または２に記載の情報通信端末。
【請求項５】
前記通信に関する情報は、前記他の情報通信装置からの受信メールであって、
前記入力された検索情報は、前記受信メールの送信者を特定する情報である、請求項２に記載の情報通信端末。
【請求項６】
前記通信に関する情報は、前記他の情報通信装置への送信メールであって、
前記入力された検索情報は、前記送信メールの受信者を特定する情報である、請求項２に記載の情報通信端末。
【請求項７】
前記情報通信端末は、
利用者が指示を入力するための指示入力手段と、
前記記憶手段に接続され、前記記憶された情報の一覧を表わす一覧情報を生成するための一覧情報生成手段と、
前記出力手段と前記指示入力手段と前記一覧情報生成手段とに接続され、前記入力された指示に基づいて前記一括情報および前記一覧情報のいずれかを出力するように、前記出力手段を制御するための制御手段とをさらに含む、請求項１〜６のいずれかに記載の情報通信端末。
【請求項８】
他の情報通信装置と情報を通信する通信ステップと、
前記情報を記憶する記憶ステップと、
前記記憶された情報を予め準備する準備ステップと、
前記準備された情報から通信に関する情報を集約して一括情報を生成する生成ステップと、
前記準備された情報を出力する出力ステップとを含む、情報通信方法。
【請求項９】
コンピュータに情報通信制御方法を実現させるためのプログラムであって、前記プログラムは、前記コンピュータに、
他の情報通信装置と情報を通信する通信ステップと、
前記情報を記憶する記憶ステップと、
前記記憶された情報を予め準備する準備ステップと、
前記準備された情報から通信に関する情報を集約して一括情報を生成する生成ステップと、
前記準備された情報を出力する出力ステップとを実現させる、プログラム。
【請求項１０】
請求項９に記載のプログラムを記録した、コンピュータ読み取り可能な記録媒体。
【発明の詳細な説明】
【０００１】
【発明の属する技術分野】
本発明は、通信情報を処理する技術に関し、特に、記憶された情報を出力する技術に関する。
【０００２】
【従来の技術】
通信環境と情報通信装置の機能との向上により、電子メール、情報の配信その他の情報通信がさらに利用されている。このような情報通信が普及した結果、通信の回数とともに通信される情報量が増加し、ＰＣ（Ｐｅｒｓｏｎａｌ  Ｃｏｍｐｕｔｅｒ）、ＰＤＡ（Ｐｅｒｓｏｎａｌ  Ｄｉｇｉｔａｌ  Ａｓｓｉｓｔａｎｔ）その他の情報通信装置に記憶される情報量も増加している。そのため、利用者が情報通信装置に記憶されている情報（たとえば、電子メール）を参照しようとする場合、その情報の処理（たとえば、受信メールの検索、返信メールあるいは転送メールの作成など）に時間を要し、また必要なときに電子メールの送信を忘れる等の問題が生じていた。
【０００３】
特開２００１−３０６４６５公報（特許文献１）は、このような問題に対応するために、電子メールを容易に作成することができる携帯型メール端末を開示する。この携帯型メール端末は、文字または画像情報を表示する複数の表示部と、複数の表示部における表示を制御する制御部と、送信先情報を記憶するメモリと、電源投入時の日付情報に基づいて送信先情報に含まれる送信先名を表示部に表示させる日付情報表示制御部とを含む。
【０００４】
この公報に開示された携帯型メール端末によると、電源が投入された時の日付に関する送信先名が表示部に表示されるので、その送信先名に対して電子メールを送信し忘れることを防止できる。また、送信先名が表示されるため、アドレス帳などで電子メールアドレスを検索することなく、電子メールを容易に作成することができる。
【０００５】
【特許文献１】
特開２００１−３０６４６５公報
【０００６】
【発明が解決しようとする課題】
しかしながら、上記の公報に開示された携帯型メール端末によると、端末の利用者が、特定の日付以外に電子メールに関する処理（閲覧、新規作成、返信など）を行なう場合、以下に示す問題があった。
【０００７】
第１に、複数の電子メールの内容が記憶されている場合には、利用者がその電子メールの内容を容易に確認できないという問題があった。
【０００８】
図８を参照して、従来の携帯端末において、電子メールの内容を確認する場合について説明する。図８（Ａ）は、電子メールの表示メニューにおける初期画面を示す。初期画面では、受信メール、送信メール等の区分に基づいて作成されたフォルダが表示される。図８（Ｂ）は、受信メールフォルダにおける初期画面を示す。この画面では、利用者が受信したメールの一覧表が表示される。図８（Ｃ）は、選択された受信メールの内容を示す。
【０００９】
このような携帯端末によると、利用者が受信メールを確認するためには、確認したい電子メールごとに、図８（Ｂ）および図８（Ｃ）を表示する操作を繰り返す必要があった。したがって、利用者が複数の電子メールを確認したい場合、利用者による一連の操作が電子メールの数だけ必要になり、手続が煩雑になるという問題があった。
【００１０】
第２に、情報通信の回数の増加により通信される電子メールの数も増加したため、利用者が特定の相手と通信した電子メールを確認したい場合に、該当する電子メールを速やかに検索できなくなるという問題があった。
【００１１】
本発明は、上述の課題を解決するためになされたものであって、その目的は、利用者による負荷を増加させることなく通信情報の内容を容易に確認することができ、また、入力された検索情報に基づいて記憶されている情報を速やかに検索することができる情報通信端末、情報通信方法、その方法を実現するためのプログラムおよび記録媒体を提供することである。
【００１２】
【課題を解決するための手段】
第１の発明に係る情報通信端末は、通信回線に接続され、他の情報通信装置と情報を通信するための通信手段と、通信手段に接続され、情報を記憶するための記憶手段と、記憶手段に接続され、記憶された情報から通信に関する情報を集約して一括情報を生成するための生成手段と、記憶手段に接続され、情報を出力するための出力手段とを含む。
【００１３】
第１の発明によると、通信手段は、他の情報通信装置（たとえば携帯電話、携帯端末など）と情報を通信する。生成手段は、記憶手段に記憶された情報から、通信に関する情報（たとえば、電子メール等の文字・記号情報、電話通信における音声情報など）を集約して、一括情報を生成する。一括情報とは、複数の情報が１つに集約された情報である。たとえば情報が格納されているファイルが複数記憶されている場合、情報を集約するとき、一括情報を格納するためのファイルが新たに生成され、そのファイルの中にそれぞれの情報が格納される。生成された一括情報は、出力手段に出力される。たとえば、一括情報が文字あるいは記号などの情報である場合、その情報は表示される。また、一括情報が音声情報である場合、その情報は音声として出力される。このようにすると、通信に関する情報が複数記憶されている場合、情報通信端末の利用者は情報を個別に出力することなく、一括情報のみを出力させることにより情報の内容を確認することができる。これにより、利用者による負荷を増加させることなく、通信内容が確認できる情報通信端末を提供することができる。
【００１４】
第２の発明に係る情報通信端末は、第１の発明の構成に加えて、利用者が検索情報を入力するための入力手段と、入力手段および記憶手段に接続され、検索情報が記憶された情報に含まれるか否かを判断するための判断手段とをさらに含む。生成手段は、検索情報が記憶された情報に含まれると判断されると、検索情報を含む情報を集約して一括情報を生成するための手段を含む。
【００１５】
第２の発明によると、利用者が入力手段を介して検索情報を入力すると、通信に関する情報がその検索情報を含んでいるか否かが判断される。検索情報が記憶された情報に含まれている場合、その検索情報を含む情報を集約した一括情報が生成される。このようにすると、複数の情報の中から必要な情報のみを検索して、一括情報として出力させることができる。これにより、利用者による負荷を増加させることなく、入力された検索情報に基づいて通信情報を速やかに検索することができる情報通信端末を提供することができる。
【００１６】
第３の発明に係る情報通信端末は、第１または第２の発明の構成に加えて、通信に関する情報は、他の情報通信装置からの受信メールである。
【００１７】
第３の発明によると、他の情報通信装置から受信された電子メールが複数記憶されている場合、その複数の電子メールを集約した一括情報が出力される。
【００１８】
第４の発明に係る情報通信端末は、第１または第２の発明の構成に加えて、通信に関する情報は、他の情報通信装置への送信メールである。
【００１９】
第４の発明によると、他の情報通信装置へ送信された電子メールが複数記憶されている場合、その複数の電子メールを集約した一括情報が出力される。
【００２０】
第５の発明に係る情報通信端末は、第２の発明の構成に加えて、通信に関する情報は、他の情報通信装置からの受信メールである。入力された検索情報は、受信メールの送信者を特定する情報である。
【００２１】
第５の発明によると、複数の通信相手から受信した電子メールが記憶されている場合、特定の通信相手から受信した電子メールを検索して、検索されたメールのみを一括情報として出力させることができる。
【００２２】
第６の発明に係る情報通信端末は、第２の発明の構成に加えて、通信に関する情報は、他の情報通信装置への送信メールである。入力された検索情報は、送信メールの受信者を特定する情報である。
【００２３】
第６の発明によると、複数の通信相手へ送信した電子メールが記憶されている場合、特定の通信相手へ送信した電子メールを検索して、検索されたメールのみを一括情報として出力させることができる。
【００２４】
第７の発明に係る情報通信端末は、第１〜６のいずれかの発明の構成に加えて、利用者が指示を入力するための指示入力手段と、記憶手段に接続され、記憶された情報の一覧を表わす一覧情報を生成するための一覧情報生成手段と、出力手段と指示入力手段と一覧情報生成手段とに接続され、入力された指示に基づいて一括情報および一覧情報のいずれかを出力するように、出力手段を制御するための制御手段とをさらに含む。
【００２５】
第７の発明によると、一覧情報生成手段は、記憶された情報の一覧を表わす一覧情報を生成する。利用者が指示入力手段を介して指示を入力すると、一括情報および一覧情報のいずれかが出力される。この指示は、たとえば、一括情報を表示させる指示、一覧情報を表示させる指示などである。これにより、利用者は、必要に応じていずれかの情報を容易に確認することができる。
【００２６】
第８の発明に係る情報通信方法は、他の情報通信装置と情報を通信する通信ステップと、情報を記憶する記憶ステップと、記憶された情報を予め準備する準備ステップと、準備された情報から通信に関する情報を集約して一括情報を生成する生成ステップと、準備された情報を出力する出力ステップとを含む。
【００２７】
第８の発明によると、通信ステップにて、他の情報通信装置（たとえば携帯電話、携帯端末など）と情報が通信される。記憶ステップにて、通信された情報が記憶される。準備ステップにて、記憶された情報が予め準備される。生成ステップは、準備された情報から、通信に関する情報（たとえば、電子メール等の文字・記号情報、電話通信における音声情報など）を集約して一括情報を生成する。一括情報とは、複数の情報が１つに集約された情報である。たとえば情報が格納されているファイルが複数記憶されている場合、複数の情報を１つに集約するとき、一括情報を格納するためのファイルが新たに生成され、そのファイルの中にそれぞれの情報が格納される。生成された一括情報は、出力ステップに出力される。たとえば、一括情報が文字あるいは記号などの情報である場合、その情報は表示される。また、一括情報が音声情報である場合、その情報は音声として出力される。このようにすると、通信に関する情報が複数記憶されている場合、情報通信方法の利用者は情報を個別に出力することなく、一括情報のみを出力させることにより情報の内容を確認することができる。これにより、利用者による負荷を増加させることなく通信内容が確認できる情報通信方法を提供することができる。
【００２８】
第９の発明に係るプログラムは、コンピュータに、他の情報通信装置と情報を通信する通信ステップと、情報を記憶する記憶ステップと、記憶された情報を予め準備する準備ステップと、準備された情報から通信に関する情報を集約して一括情報を生成する生成ステップと、準備された情報を出力する出力ステップと実現させる。
【００２９】
第９の発明によると、プログラムは通信回線に接続されたコンピュータに情報通信方法を実現させる。この情報通信方法によると、通信ステップにて、他の情報通信装置（たとえば携帯電話、携帯端末など）と情報が通信される。記憶ステップにて、通信された情報が記憶される。準備ステップにて、記憶された情報が予め準備される。生成ステップは、準備された情報から、通信に関する情報（たとえば、電子メール、電話通信における音声情報など）を集約して一括情報を生成する。一括情報とは、複数の情報が１つの情報に集約された情報である。たとえばファイルごとに情報が格納されている場合、複数の情報を集約させると、一括情報を格納するためのファイルが新たに生成され、そのファイルの中にそれぞれの情報が格納される。生成された一括情報は、出力ステップに出力される。たとえば、一括情報が文字あるいは記号などの情報である場合、その情報は表示される。また、一括情報が音声情報である場合、その情報は音声として出力される。このようにすると、通信に関する情報が複数記憶されている場合、情報通信方法の利用者は情報を個別に出力することなく、一括情報のみを出力させることにより情報の内容を確認することができる。これにより、利用者による負荷を増加させることなく通信内容が確認できる情報通信方法をコンピュータに実現させることができるプログラムを提供することができる。
【００３０】
第１０の発明に係る記録媒体は、第９の発明に係るプログラムを記録したコンピュータ読み取り可能な記録媒体である。
【００３１】
第１０の発明によると、このプログラムを用いて、通信回線に接続された他の情報通信装置と通信する情報通信方法を、コンピュータに実現させることができる。
【００３２】
【発明の実施の形態】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００３３】
図１に、本発明の実施の形態に係る携帯端末１００の制御ブロック図を示す。図１に示すように、この携帯端末１００は、相互にバスで接続されたＣＰＵ（Ｃｅｎｔｒａｌ  Ｐｒｏｃｅｓｓｉｎｇ  Ｕｎｉｔ）１１０と、モニタ１１２と、入力キー１１４と、メモリ１１６と、マイク１１８と、スピーカ１２０と、アンテナ１２２とを含む。
【００３４】
ＣＰＵ１１０は、制御部として、モニタ１１２における画面の表示、入力キー１１４からの入力、メモリ１１６からのデータの読出、マイク１１８からの音声の入力、スピーカ１２０への音声の出力などの処理を制御する。
【００３５】
ＣＰＵ１１０は、メール処理部として、メモリ１１６に記憶された電子メールを処理する。この処理には、電子メールの並べ替え処理、検索処理、複数の電子メールの内容を集約した１つのファイルを生成する処理、複数の電子メールの内容を一覧できるファイルを生成する処理などが含まれる。
【００３６】
ＣＰＵ１１０は、通信制御部として、利用者の指示に基づいて他の情報通信装置との通信を制御する。この通信には、電話通信あるいは電子メールの通信等が含まれる。
【００３７】
図２に、本実施の形態に係るメモリ１１６に記憶される電子メールのデータ構造を示す。
【００３８】
図２を参照して、データが格納されるフィールド（以下、フィールドをＦと表わす）２０２には、電子メールの番号を表わすデータが格納される。この番号は、記憶される電子メールを特定するために一意に与えられる番号である。
【００３９】
Ｆ２０４には、電子メールの種類を表わすデータが格納される。すなわち、このデータは、その電子メールが送信メールであるか、あるいは受信メールであるかを表わす。たとえば、電子メールが受信メールである場合には、「０」が格納される。その電子メールが送信メールである場合には、「１」が格納される。
【００４０】
Ｆ２０６には、電子メールの送信者を表わすデータが格納される。このデータは、たとえば電子メールアドレスである。
【００４１】
Ｆ２０８には、電子メールの受信者を表わすデータが格納される。このデータは、たとえば電子メールアドレスである。
【００４２】
Ｆ２１０には、電子メールの通信日時を表わすデータが格納される。Ｆ２１２には、電子メールの件名を表わすデータが格納される。Ｆ２１４には、電子メールの本文を表わすデータが格納される。
【００４３】
Ｆ２１６には、電子メールが添付ファイルを伴っているか否かを表わすデータが格納される。たとえば電子メールが添付ファイルを伴っている場合には「１」が格納される。そうでない場合には、「０」が格納される。
【００４４】
図３を参照して、本実施の形態に係る携帯端末１００にて実行されるプログラムの制御構造を、フローチャートに基づいて説明する。
【００４５】
ステップ（以下、「ステップ」をＳと表わす）３０２にて、携帯端末１００のＣＰＵ１１０は、メニュー画面をモニタ１１２に表示する。
【００４６】
Ｓ３０４にて、ＣＰＵ１１０は、電子メールを表示するか否かを判断する。この判断は、携帯端末１００の利用者がメール表示のメニューを選択したか否かを検知することにより行なわれる。電子メールを表示すると判断すると（Ｓ３０４にてＹＥＳ）、処理はＳ３０６に移される。そうでないと（Ｓ３０４にてＮＯ）、処理は終了する。
【００４７】
Ｓ３０６にて、ＣＰＵ１１０は、送受信メールフォルダを表示するか否かを判断する。この判断は、利用者が送受信メールフォルダの表示を選択したか否かを検知することにより行なわれる。なお、送受信メールフォルダとは、送受信された電子メールが記憶されているフォルダをいう。送受信メールフォルダを表示すると判断すると（Ｓ３０６にてＹＥＳ）、処理はＳ３０８に移される。そうでないと（Ｓ３０６にてＮＯ）、処理はＳ３１０に移される。
【００４８】
Ｓ３０８にて、ＣＰＵ１１０は、メール表示の設定が「一括表示」であるか否かを判断する。この判断は、利用者が「一括表示」のメニューを選択したか否かを検知することにより行なわれる。メール表示の設定が「一括表示」であると判断すると（Ｓ３０８にてＹＥＳ）、処理はＳ３１４に移される。そうでないと（Ｓ３０８にてＮＯ）、処理はＳ６００に移される。
【００４９】
Ｓ３１０にて、ＣＰＵ１１０は、受信メールフォルダを表示するか否かを判断する。この判断は、利用者が受信メールフォルダの表示を選択したか否かを検知することにより行なわれる。受信メールフォルダを表示すると判断すると（Ｓ３１０にてＹＥＳ）、処理はＳ３０８に移される。そうでないと（Ｓ３１０にてＮＯ）、処理はＳ３１２に移される。
【００５０】
Ｓ３１２にて、ＣＰＵ１１０は、送信メールフォルダを表示するか否かを判断する。この判断は、利用者が送信メールフォルダの表示を選択したか否かを検知することにより行なわれる。送信メールフォルダを表示すると判断すると（Ｓ３１２にてＹＥＳ）、処理はＳ３０８に移される。そうでないと（Ｓ３１２にてＮＯ）、処理は終了する。
【００５１】
Ｓ３１４にて、ＣＰＵ１１０は、検索キーワードの入力画面をモニタ１１２に表示する。検索キーワードとは、利用者が電子メールを検索するために入力するキーワードである。Ｓ３１６にて、ＣＰＵ１１０は、利用者が入力した検索キーワードを取得する。
【００５２】
Ｓ３１８にて、ＣＰＵ１１０は、検索キーワードに基づいて電子メールを一括表示するか否かを判断する。この判断は、利用者が検索キーワードに基づく一括表示を選択したか否かを検知することにより行なわれる。検索キーワードに基づいて電子メールを一括表示すると判断すると（Ｓ３１８にてＹＥＳ）、処理はＳ４００に移される。そうでないと（Ｓ３１８にてＮＯ）、処理はＳ５００に移される。
【００５３】
Ｓ４００にて、ＣＰＵ１１０は、後述する検索メール一括ファイル作成処理を実行する。この処理が実行されることにより、検索された電子メールの内容が集約されたファイルが作成される。
【００５４】
Ｓ５００にて、ＣＰＵ１１０は、後述する全メール一括ファイル作成処理を実行する。この処理が実行されることにより、全ての電子メールの内容が集約されたファイルが作成される。
【００５５】
Ｓ６００にて、ＣＰＵ１１０はメール一覧ファイル作成処理を実行する。この処理が実行されることにより、全ての電子メールを一覧できる形式で表わすファイルが作成される。なお、一覧できる形式とは、図２に示す電子メールのデータ構造の中から選択された特定の項目のみを表示する形式である。たとえば、通信日時（Ｆ２１０）、送信者（Ｆ２０６）、受信者（Ｆ２０８）および件名（Ｆ２１２）が表示される。この項目は、利用者が任意に選択することができる。
【００５６】
Ｓ３２２にて、ＣＰＵ１１０は、電子メールの内容をモニタ１１２に表示する。表示される内容は、Ｓ４００にて作成された特定の検索キーデータを含む電子メールが集約された内容と、Ｓ５００にて作成された全ての電子メールが集約されたファイルの内容と、Ｓ６００にて作成された電子メールの一覧を表わす内容とのいずれかである。
【００５７】
図４を参照して、本実施の形態に係る携帯端末１００にて実行される検索メール一括ファイル作成処理プログラムの制御構造を、フローチャートに基づいて説明する。
【００５８】
Ｓ４０２にて、ＣＰＵ１１０は、メモリ１１６に記憶されている電子メールの総数Ｎを計算する。
【００５９】
Ｓ４０４にて、ＣＰＵ１１０は、一括表示用ファイルを作成する。なお、一括表示用ファイルとは、送受信フォルダ、受信フォルダ、送信フォルダなどに格納されている電子メールの内容を集約するためのファイルをいう。
【００６０】
Ｓ４０６にて、ＣＰＵ１１０は、電子メール数を計算するためのカウンタｎを初期化する。この初期化により、ｎには１が代入される。
【００６１】
Ｓ４０８にて、ＣＰＵ１１０は、カウンタｎが電子メールの総数Ｎと同じであるか否かを判断する。カウンタｎが総数Ｎと同じであるとき（Ｓ４０８にてＹＥＳ）、ＣＰＵ１１０は検索メール一括ファイル作成処理プログラムを終了して、メインプログラムに復帰する。そうでないと（Ｓ４０８にてＮＯ）、処理はＳ４１０に移される。
【００６２】
Ｓ４１０にて、ＣＰＵ１１０は、ｎ件目の電子メールがＳ３１６にて取得された検索キーワードを含むか否かを判断する。ｎ件目の電子メールが検索キーワードを含むと判断すると（Ｓ４１０にてＹＥＳ）、処理はＳ４１２に移される。そうでないと（Ｓ４１０にてＮＯ）、処理はＳ４１４に移される。
【００６３】
Ｓ４１２にて、ＣＰＵ１１０は、Ｓ４０４にて作成した一括表示用ファイルにｎ件目の電子メールの内容を追加する。
【００６４】
Ｓ４１４にて、ＣＰＵ１１０は、カウンタｎの値を１増加させる。その後、処理はＳ４０８に戻される。
【００６５】
図５を参照して、本実施の形態に係る携帯端末１００にて実行される全メール一括ファイル作成処理プログラムの制御構造を、フローチャートに基づいて説明する。
【００６６】
なお、この制御構造において、図４に示した検索メール一括ファイル作成処理プログラムにおける処理と同じ処理は、ここでは繰り返さない。この全メール一括ファイル作成処理プログラムは、検索キーワードに基づく検索処理を実行しない点で、前述の検索メール一括ファイル作成処理プログラムと異なる。
【００６７】
Ｓ４０８にて、ＣＰＵ１１０は、カウンタｎが電子メールの総数Ｎと同じであるか否かを判断する。カウンタｎが総数Ｎと同じであるとき（Ｓ４０８にてＹＥＳ）、ＣＰＵ１１０は全メール一括ファイル作成処理プログラムを終了し、メインプログラムに復帰する。そうでないと（Ｓ４０８にてＮＯ）、処理はＳ４１２に移される。
【００６８】
以上のような構造およびフローチャートに基づく本実施の形態に係る携帯端末１００の動作を説明する。
【００６９】
利用者の操作によりメニュー画面がモニタ１１２に表示される（Ｓ３０２）。利用者が電子メールを表示するメニューを選択し（Ｓ３０４にてＹＥＳ）、さらに送受信メールフォルダの表示を選択すると（Ｓ３０６にてＹＥＳ）、メール表示の設定が「一括表示」である場合には（Ｓ３０８にてＹＥＳ）、検索キーワードの入力画面がモニタ１１２に表示される（Ｓ３１４）。
【００７０】
利用者が入力した検索キーワードが取得され（Ｓ３１６）、利用者が検索キーワードを含む電子メールのみを一括表示する指示を入力すると（Ｓ３１８にてＹＥＳ）、検索メール一括ファイル作成処理が実行される（Ｓ４００）。すなわち、ＣＰＵ１１０はメモリ１１６に記憶されている電子メールの総数Ｎを計算し（Ｓ４０２）、一括表示用ファイルを作成する（Ｓ４０４）。ＣＰＵ１１０はカウンタｎを初期化し（Ｓ４０６）、カウンタｎが総数Ｎに等しくなるまで、検索キーワードを含む電子メールを検索し（Ｓ４１０にてＹＥＳ）、該当する電子メールの内容を一括表示用ファイルに追加する（Ｓ４１２）。その後、カウンタｎが１増加され（Ｓ４１４）、カウンタｎが総数Ｎに等しくなると（Ｓ４０８にてＹＥＳ）、生成された一括表示用ファイルの内容がモニタ１１２に表示される（Ｓ３２２）。
【００７１】
図６を参照して、本発明の実施の形態に係る携帯端末１００が全メールの内容を一括して表示する場合の画面について説明する。この画面では、通信相手（図２のＦ２０６あるいはＦ２０８）、通信日時（Ｆ２１０）および本文（Ｆ２１４）がモニタ１１２に表示される。通信相手は、受信メールの場合は送信者（Ｆ２０６）、送信メールの場合は受信者（Ｆ２０８）である。
【００７２】
図６において、利用者が電子メールを通信した相手との送受信メールが通信日時順に表示される。この表示において、「○○から」より始まる電子メールは、携帯電話１００の利用者が「○○」から受信した電子メールである。したがって、この○○の部分には、Ｆ２０６に格納された送信者の名前が表示される。また、「○○へ」より始まる電子メールは、利用者が「○○」へ送信した電子メールである。したがって、この○○の部分には、Ｆ２０８に格納された受信者の名前が表示される。
【００７３】
この画面に表示される電子メールは、Ｆ２０２に格納されている「番号」が、「０００」〜「００４」までの電子メールである。この場合、利用者が画面をスクロールさせることにより、「００５」以降の電子メールを表示させることができる。
【００７４】
なお、このような一覧表示を行なうとき、たとえば時間を設定することにより、特定の時間に通信された電子メールのみを表示するようにしてもよい。
【００７５】
また、通信日時順に表示する方法に加えて、通信相手順に表示するようにしてもよい。これにより、特定の相手との通信内容を確認しつつ、全ての電子メールの内容を確認することができる。
【００７６】
図７を参照して、本実施の形態に係る携帯端末１００が検索された電子メールを一括して表示する場合の画面について説明する。
【００７７】
利用者が検索キーワードとして「太郎」を入力した場合、図７に示すように、「太郎」と通信された電子メールのみが表示される。すなわち、この画面にて表示される電子メールは、図２のＦ２０２に格納されている「番号」が、「０００」、「００２」、「００４」、「００５」および「００６」の電子メールである。
【００７８】
以上により、詳述した本発明の実施の形態に係る携帯端末１００によると、利用者の指示に基づいてメモリ１１６に記憶されている電子メールを一括表示するためのファイルが生成され、電子メールの内容がそのファイルに集約され、そのファイルの内容がモニタ１１２に表示される。したがって、携帯端末１００の利用者は、電子メールを確認するために多くのボタン操作をすることなく、所定のボタン操作のみで全ての電子メールの内容を確認することができる。また、特定の電子メールの内容を確認したい場合には、利用者が確認したい電子メールを検索するための検索キーワードを入力することにより、必要とする電子メールのみを表示させることができる。これにより、利用者による負荷を増加させることなく通信内容が確認でき、また、入力された検索情報に基づいて通信情報を速やかに検索することができる情報通信端末を提供することができる。
【００７９】
なお、本実施の形態においては、通信に関する情報として電子メールを使用したが、その情報は音声通話等が記録された音声情報であってもよい。この場合、電話番号等により特定される発信者との通話を集約することにより、複数の通話（たとえば、留守番機能により録音された通話内容）が集約された音声ファイルが生成される。利用者は、スピーカ、イヤホンなどの出力装置に音声ファイルを出力させることにより、特定の通話相手との会話をまとめて聞くことが可能になる。これにより、音声情報を確認する場合に、利用者による負荷を軽減することができる。
【００８０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【図１】本発明の実施の形態に係る携帯端末の制御ブロック図である。
【図２】本発明の実施の形態に係る携帯端末のメモリに記憶される電子メールのデータ構造である。
【図３】本発明の実施の形態に係る携帯端末にて実行されるプログラムの制御構造を表わすフローチャート（その１）である。
【図４】本発明の実施の形態に係る携帯端末にて実行されるプログラムの制御構造を表わすフローチャート（その２）である。
【図５】本発明の実施の形態に係る携帯端末にて実行されるプログラムの制御構造を表わすフローチャート（その３）である。
【図６】本発明の実施の形態に係る携帯端末のモニタに表示される画面（その１）である。
【図７】本発明の実施の形態に係る携帯端末のモニタに表示される画面（その２）である。
【図８】従来の携帯端末のモニタに表示される画面である。
【符号の説明】
１００  携帯端末、１１０  ＣＰＵ、１１２  モニタ、１１４  入力キー、１１６  メモリ、Ｆ２０２，Ｆ２０４，Ｆ２０６，Ｆ２０８，Ｆ２１０，Ｆ２１２，Ｆ２１４，Ｆ２１６  データが格納される領域。
【図１】
2004178459.tif 000003
【図２】
2004178459.tif 000004
【図３】
2004178459.tif 000005
【図４】
2004178459.tif 000006
【図５】
2004178459.tif 000007
【図６】
2004178459.tif 000008
【図７】
2004178459.tif 000009
【図８】
2004178459.tif 000010